【事件の表示】
　特願２０１２−２２７８６０「無線通信システム，送信機及び通信制御方法」拒絶査定不服審判事件〔平成２５年　１月３１日出願公開，特開２０１３−　２１７２０〕について，次のとおり審決する。
【結　論】
　本件審判の請求は，成り立たない。
【理　由】
１　手続の経緯・本願発明
　本願は，２００７年２月７日（国内優先による優先権主張　２００６年２月８日，２００７年２月５日）を国際出願日とする出願である特願２００７−５５７８６３号の一部を，平成２２年１２月２０日に新たな特許出願とした特願２０１０−２８３１２０号の一部を，平成２４年１０月１５日に更に新たな特許出願としたものであって，平成２６年３月６日付けで拒絶査定がなされ，これに対し，同年６月４日に拒絶査定に対する審判請求がなされたものである。
　その請求項３に係る発明は，明細書，特許請求の範囲及び図面の記載からみて，特許請求の範囲の請求項３に記載された次のとおりのものと認める（以下，「本願発明」という。）。
「【請求項３】
　データ信号と，パイロット信号とを送信する送信回路と，
　前記パイロット信号を，予め定められた系列長よりも小さい素数を系列長とするＺａｄｏｆｆ−Ｃｈｕ系列を含む信号を逆離散フーリエ変換することにより算出する処理回路と，
を有する送信機。」
２　引用発明及び周知事項
［引用発明］
　原査定の拒絶の理由に引用されたTexas Instruments，Text Proposal On Uplink Reference Signal Structure（［当審仮訳］：アップリンク参照信号構造についてのテキスト提案）， [online]，3GPP TSG-RAN WG1#44 R1-060374，インターネット＜URL:http://www.3gpp.org/ftp/tsg_ran/WG1_RL1/TSGR1_44/Docs/R1-060374.zip＞，２００６年１月には，図面とともに以下の事項が記載されている。
（１）「1.Introduction
　　Single - Carrier FDMA (SC - FDMA) has been accepted as the uplink modulation of choice for the evolved UTRA (EUTRA). Consequently, the EUTRA uplink sub-frame comprises of OFDM symbols, which are generated via DFT-spread OFDM [1]. It was agreed that the uplink EUTRA sub-frame contains two short DFT-spread OFDM symbols (SB1 and SB2), which contain uplink reference (pilot) signals [1]. This document is a text proposal which assumes a contiguous pilot option from [1] and defines: 
　1)Uplink pilot sequences which are used to modulate SB1 and SB2
　2)Multiplexing of uplink pilot signals in the evolved UTRA　」（１／４ページ１〜９行）
（［当審仮訳］：
１．はじめに
　シングル−キャリアＦＤＭＡ（ＳＣ−ＦＤＭＡ）が，ｅｖｏｌｖｅｄＵＴＲＡ（ＥＵＴＲＡ）のアップリンク変調の選択として受け入れられている。したがって，ＥＵＴＲＡアップリンクサブフレームは，ＤＦＴ拡散ＯＦＤＭを介して生成されたＯＦＤＭシンボルからなる [1]。アップリンクＥＵＴＲＡサブフレームは，アップリンク参照（パイロット）信号を含む２つの短いＤＦＴ拡散ＯＦＤＭシンボル（ＳＢ１とＳＢ２）を含むことが合意されている [1]。この文書は， [1]からの連続したパイロットオプションを想定したテキスト提案であり，以下を定義する。
　１）ＳＢ１及びＳＢ２を変調するのに使用されるアップリンクパイロット系列
　２）ｅｖｏｌｖｅｄＵＴＲＡにおけるアップリンクパイロット信号の多重　）
（２）「1.1.Discussion on Pilot Sequences [Continuous Pilot Option]
Proposed sequences [7] are given by the formula
In the above formula, L is the length of the sequence, n is the index of a particular element of the sequence n = {0, 1, 2 …, L - 1}, and finally, k is the index of the sequence itself. Note that for a given length L, there are L - 1 distinct sequences, provided that L is prime. Therefore, the entire family of pilot sequences is defined as k ranges in {1, 2 …, L - 1}. The above family of pilot sequences is a very special case of Zadoff - Chu family [2, 3], or alternatively, a special case of the GCL family [4, 6]. These sequences have been chosen because they possess following desirable [7, 8] properties 
　1.Constant magnitude, which ensures that uplink pilot signal has a low peak - to - average ratio (PAR).
　2.Flat frequency domain response. This property has been show to aid the channel estimation [10, 7].
　3.Ideal [delta-impulse] circular autocorrelation [for any given k]. This property is in fact equivalent to property 2.
　4.Low, constant magnitude cross-correlation, provided that L is a prime number.
　5.Large number of distinct sequences (L - 1)
　　By definition, specified set of pilot sequences possess Constant Amplitude Zero-Autocorrelation (CAZAC) property, because it has characteristics 1 and 3 above. Length L, of the uplink pilot sequence, depends on the size of the “Pilot Frequency Block,” which is defined next. 　」（１／４ページ１０行〜末行）
（［当審仮訳］：
１．１　パイロット系列についての検討［連続パイロットオプション］
　[7] で提案される系列は，以下の式で与えられる。
（式は省略。）
　上記式中，Ｌは系列の長さであり，ｎは系列ｎ＝｛０，１，２，．．，Ｌ−１｝の特定の要素の識別子であり，そして最後に，ｋは系列自体の識別子である。Ｌが素数であるとすると，与えられた長さＬについて，異なるＬ−１個の系列が存在することに留意すべきである。したがって，パイロット系列の全ファミリーは｛１，２，．．，Ｌ−１｝のｋ範囲として定義される。パイロット系列の上記ファミリーは，Ｚａｄｏｆｆ−Ｃｈｕファミリー[2]，[3]又は代替的にＧＣＬファミリー[4]，[6]の，極めて特殊なケースである。これらの系列は，次の望ましい特性を有するため[7，8]，選択されている。
　　１　アップリンクパイロット信号が低いピーク−平均比（ＰＡＲ）を有することを保証するための一定の大きさ
　　２　平坦な周波数領域応答。この特性は，チャネル推定[10]，[7]を支援する
　　３　［任意のｋについての］理想的な［デルタインパルス］巡回自己相関。この特性は実質的に２の特性と同じである。
　　４　Ｌが素数であるならば，低い，一定の大きさの相互相関
　　５　多数（Ｌ−１）の異なる系列
　定義によると，特定されたパイロット系列の集合は，上記の１及び３の特性を有しているので，定振幅ゼロ自己相関（ＣＡＺＡＣ）特性を有する。アップリンクパイロット系列の長さＬは，次の定義される「パイロット周波数ブロック」のサイズに依存する。　）
（３）「1.2.Discussion on Uplink Pilot Multiplexing [Continuous Pilot Option]
　　Pilot Frequency Block can consist of L = {37, 73, 151, 293, 601} contiguous sub - carriers, which corresponds to pilot bandwidths of {1.11MHz, 2.19MHz, 4.53MHz, 8.79MHz, 18.03MHz}. Note that for the EUTRA option of 1.25 MHz, the Pilot Frequency Block must consist of 37 contiguous sub-carriers (which span 1.11MHz). For EUTRA bandwidth options which are larger than 1.25MHz, the Pilot Frequency Block can be configured. For example, for the option of 5 MHz, the Pilot Frequency Block can consist of either 37, 73 or 151 contiguous sub - carriers. Up to 8 concurrent UEs are allowed to multiplex their pilot transmissions on a single Pilot Frequency Block, as follows. 　」（２／４ページ１〜８行）
（［当審仮訳］：
１．２．　アップリンクパイロット多重化についての検討［連続パイロットオプション］
　パイロット周波数ブロックは，｛１．１１ＭＨｚ，２．１９ＭＨｚ，４．５３ＭＨｚ，８．７９ＭＨｚ，１８．０３ＭＨｚ｝のパイロット帯域幅に対応した，Ｌ＝｛３７，７３，１５１，２９３，６０１｝の連続したサブキャリアからなることができる。１．２５ＭＨｚのＥＵＴＲＡオプションについて，パイロット周波数ブロックは，（１．１１ＭＨｚにまたがる）３７個の連続したサブキャリアからならなければならないことに留意すべきである。。１．２５ＭＨｚより大きいＥＵＴＲＡ帯域幅オプションについて，パイロット周波数ブロックを構成することができる。例えば，５ＭＨｚのオプションについて，パイロット周波数ブロックは，３７，７３又は１５１のいずれかの連続したサブキャリアからなることができる。次のように，単一のパイロット周波数ブロック上に，最大８個のＵＥのパイロット送信を同時に多重化することが可能とされる。　）
（４）「2.Text Proposal [Section 9.1.1.2 in TR25.814]
--------------  Start of Text Proposal  --------------
9.1.1.2.1　Uplink Reference Signal Structure
9.1.1.2.1.1　Sequences for the Uplink Reference Signal
Sequences which modulate uplink reference signals are defined by
In the above formula, L is the length of the sequence, n is the index of a particular element of the sequence n = {0, 1, 2 …, L - 1}, and k is the index of the sequence itself. For a given length L, there are L - 1 distinct sequences, provided that L is prime. 
9.1.1.2.1.2　Multiplexing of Uplink Reference Signals
The “Pilot Frequency Block” can consist of L = {37, 73, 151, 293, 601} contiguous pilot (SB1 and SB2) sub - carriers. For the EUTRA option of 1.25 MHz, the Pilot Frequency Block must consist of 37 contiguous sub-carriers. For larger bandwidth options, the Pilot Frequency Block can be configured. Up to 8 concurrent UEs are allowed to multiplex their reference signal transmissions on a single Pilot Frequency Block, as follows. 
　　Each sector can concurrently use only two CAZAC sequences (primary and secondary), from the CAZAC family defined above. No two neighboring cells are allowed to concurrently utilize the same CAZAC sequence, i.e., neighboring cells must use defined CAZAC sequences with differing k. For any given sector, four UEs are multiplexed (on a given Pilot Frequency Block) using four distinct cyclic shifts of the primary sequence. If the primary sequence is ck(n), with length L, then four distinct cyclic shifts are defined as follows 
　・First shift is the sequence ck(n) itself, as defined above. （中略）
」（２／４ページ２６行〜３／４ページ１３行）
（［当審仮訳］：
２．テキスト提案［ＴＲ２５．８１４の９．１．１．２節］
−−−−−テキスト提案の開始−−−−−
９．１．１．２．１　アップリンク参照信号構造
９．１．１．２．１．１　アップリンク参照信号のための系列
　アップリンク参照信号を変調する系列は次式で定義される。
（式は省略。）
　上記式中，Ｌは系列の長さであり，ｎは系列ｎ＝｛０，１，２，．．，Ｌ−１｝の特定の要素の識別子であり，ｋは系列自体の識別子である。Ｌが素数であるとすると，与えられた長さＬについて，異なるＬ−１個の系列が存在する。
９．１．１．２．１．２　アップリンク参照信号の多重化
　パイロット周波数ブロックは，Ｌ＝｛３７，７３，１５１，２９３，６０１｝の連続したパイロット（ＳＢ１及びＳＢ２）サブキャリアからなることができる。１．２５ＭＨｚのＥＵＴＲＡオプションについて，パイロット周波数ブロックは３７個の連続したサブキャリアからならなければならない。より大きい帯域幅オプションについて，パイロット周波数ブロックを構成することができる。次のように，単一のパイロット周波数ブロック上に，最大８個のＵＥのパイロット送信を同時に多重化することが可能とされる。
　各セクタは，上記で定義されたＣＡＺＡＣファミリーから，同時に２つのＣＡＺＡＣ系列（プライマリとセカンダリ）だけを使用することができる。２つの隣接セルが同時に同じＣＡＺＡＣ系列を使用することはできない，すなわち，隣接するセルは異なるｋで定義されたＣＡＺＡＣ系列を使用しなければならない。任意のセクタに対して，４つのＵＥは，プライマリ系列の４つの異なる循環シフトを使用して，（与えられたパイロット周波数ブロック上に）多重化される。プライマリ系列が長さＬのｃｋ（ｎ）の場合，以下のように４つの異なる循環シフトが定義される。
　・第１のシフトは，上記に定義された系列ｃｋ（ｎ）そのもの（中略）
（図は省略。）　）
　上記各記載及び図面並びにこの分野における技術常識を考慮すると，
ａ　上記（２），（４）には，パイロット系列の長さＬを素数とすることが記載されている。また，上記（２），（４）の記載によれば，パイロット系列としてＣＡＺＡＣ系列であるＺａｄｏｆｆ−Ｃｈｕ系列を用いることが記載されていると認められる。
ｂ　上記（１）には，「ＥＵＴＲＡアップリンクサブフレームは，ＤＦＴ拡散ＯＦＤＭを介して生成されたＯＦＤＭシンボルからなる」こと，「アップリンクＥＵＴＲＡサブフレームは，アップリンク参照（パイロット）信号を含む２つの短いＤＦＴ拡散ＯＦＤＭシンボル（ＳＢ１とＳＢ２）を含むことが合意されている」ことが記載されており，上記（４）のＵＥのためのアップリンク参照（パイロット）信号の変調に関する図によれば，ＣＡＺＡＣ系列は，巡回シフト（Ｃｙｃｌｉｃ　Ｓｈｉｆｔ）され，離散フーリエ変換（ＤＦＴ）され，逆高速フーリエ変換（ＩＦＦＴ）され，パラレル／シリア変換（Ｐ／Ｓ）され，無線送信のための処理（ＲＦ）がされて，パイロット信号として送信されることが見て取れる。
ｃ　上記ａとｂを併せてみれば，素数を系列長とするＺａｄｏｆｆ−Ｃｈｕ系列をＣＡＺＡＣ系列として，上記各処理を行い，最終的に送出されるパイロット信号を算出しているといえる。
　したがって，引用例には，「前記パイロット信号を，素数を系列長とするＺａｄｏｆｆ−Ｃｈｕ系列を含む信号を逆高速フーリエ変換することにより算出する処理回路」が記載されていると認められる。
　また，引用例はＬＴＥに関する提案文書であることを考慮すれば，上記（４）の図には，送信機の構成が記載されているといえ，当該送信機がＵＥのためのパイロット信号を送信していることは明らかである。そして，そのための送信回路を備えることは当然に理解されることである。
　以上を総合すると，引用例には以下の発明（以下，「引用発明」という。）が記載されていると認める。 
「パイロット信号を送信する送信回路と，
　前記パイロット信号を，素数を系列長とするＺａｄｏｆｆ−Ｃｈｕ系列を含む信号を逆高速フーリエ変換することにより算出する処理回路と，
を有する送信機。」
［周知事項］
（周知例１）
　上記引用例においてReference（［当審仮訳］：参考文献）に「 [1]」としてあげられ，引用例に記載された提案の前提となっていることが明らかである3GPP, TR-25.814 (V1.0.1), “Physical Layer Aspects for Evolved UTRA.”（［当審仮訳］：ｅｖｏｌｖｅｄＵＴＲＡのための物理層の見地）（以下，「周知例１という。」）は，本願明細書において「非特許文献１」として提示されている「（Ｐｈｙｓｉｃａｌ Ｌａｙｅｒ Ａｓｐｅｃｔｓ ｆｏｒ Ｅｖｏｌｖｅｄ ＵＴＲＡ（３ＧＰＰ ＴＲ２５．８１４ ｖ０．５．０（２００５−１１），９．１章））」とは若干バージョンが異なるものの，実質的に同じ内容であり，図面とともに以下の事項が記載されている。
（５）「9.1　SC-FDMA (FDD / [TDD])
9.1.1　Basic transmission scheme
The basic uplink transmission scheme is based on low-PAPR single-carrier transmission (SC-FDMA) with cyclic prefix to achieve uplink inter-user orthogonality and to enable efficient frequency-domain equalization at the receiver side. Frequency-domain generation of the signal, sometimes known as DFT-spread OFDM, is assumed and illustrated in Figure 9.1.1-1. This allows for a relatively high degree of commonality with the downlink OFDM scheme and the same parameters, e.g., clock frequency, can be reused,
The sub-carrier mapping determines which part of the spectrum that is used for transmission by inserting a suitable number of zeros at the upper and/or lower end in Figure 9.1.1-2. Between each DFT output sample L-1 zeros are inserted. A mapping with L=1 corresponds to localized transmissions, i.e., transmissions where the DFT outputs are mapped to consecutive sub-carriers. With L1, distributed transmissions result, which are considered as a complement to localized transmissions for additional frequency diversity.
The basic sub-frame structure for the uplink transmission is given in Figure 9.1.1-3 using two short blocks (SB) and six long blocks (LB) per sub-frame. Short blocks are used for reference signals for coherent demodulation and/or control/data transmission. Long blocks are used for control and/or data transmission. Note that the data could include either or both of scheduled data transmission and contention based data transmission. Furthermore, the same sub-frame structure is used for both localized and distributed transmission.
The numerology for the different spectrum allocations is shown in Table 9.1.1-1. The minimum TTI for uplink transmission is equal to the uplink sub-frame duration. Similar to the downlink, the possibility to concatenate multiple sub-frames into longer uplink TTIs should be considered.
9.1.1.2　Multiplexing including reference signal structure
9.1.1.2.1　Uplink reference-signal structure
（中略）
9.1.1.2.2　Multiplexing of L1/L2 control signaling　」（４１〜４２ページ）
（［当審仮訳］：
９．１　ＳＣ−ＦＤＭＡ（ＦＤＤ／［ＴＤＤ］）
９．１．１　基本的な伝送方式
　基本的なアップリンク伝送方式は，アップリンクのユーザ間直交性を達成し，受信機側での効率的な周波数領域等化を可能にするために，サイクリックプレフィックスの低ＰＡＰＲシングルキャリア伝送（ＳＣ−ＦＤＭＡ）に基づくものである。しばしばＤＦＴ拡散ＯＦＤＭとして知られている信号の周波数領域の生成は，図９．１．１−１に示され，仮定されている。これは，ダウンリンクＯＦＤＭ方式と同一のパラメータ，例えば，クロック周波数，再利用を有し，比較的高い程度の共通性を可能にする。
（図は省略。）
　サブキャリアマッピングは，図９．１．１−２の上側及び／又は下側端部に適切な数のゼロを挿入して送信するために，スペクトルのどの部分が使用されるかを決定する。各ＤＦＴ出力サンプルの間にＬ−１個のゼロが挿入されている。Ｌ＝１でのマッピングは，ローカライズされた送信，すなわち，ＤＦＴの出力が連続したサブキャリアにマッピングされている送信に対応する。Ｌ＞１では，分散型送信となり，これは追加の周波数ダイバーシティのためのローカライズされた送信を補完するものとしてみなされる。
　アップリンク送信のための基本的なサブフレーム構造は，図９．１．１−３に示され，サブフレーム当たり２つのショートブロック（ＳＢ）と６つのロングブロック（ＬＢ）を用いる。ショートブロックは，コヒーレント復調のための参照信号及び／又は制御／データ伝送のために使用される。ロングブロックは，制御及び／又はデータ伝送のために使用される。データは，スケジュールされたデータ送信及びコンテンションベースのデータ送信のいずれか又は両方を含むことができることに留意されたい。更に，ローカライズされた送信及び分散型送信の双方に，同一のサブフレーム構造が使用される。
　異なるスペクトル割り当てに対する数についての規定は，表９．１．１−１に示される。アップリンク送信のための最小のＴＴＩは，アップリンクのサブフレームの持続時間に等しい。ダウンリンクと同様に，多数のサブフレームを連結して長いアップリンクのＴＴＩとする可能性を考慮すべきである。
９．１．１．２　参照信号構造を含む多重化
９．１．１．２．１　アップリンク参照信号構造
（中略）
９．１．１．２．２　Ｌ１／Ｌ２制御シグナリングの多重化　）
（周知例２）
　本願明細書において「非特許文献３」として提示されている「（Ｒ１−０５１０６２，Ｏｎ Ｕｐｌｉｎｋ Ｐｉｌｏｔ ｉｎ ＥＵＴＲＡ ＳＣ−ＦＤＭＡ，Ｔｅｘａｓ Ｉｎｓｔｒｕｍｅｎｔｓ．）」（Texas Instruments，On Uplink Pilot in EUTRA SC-FDMA（［当審仮訳］：アップリンク参照信号構造についての提案），3GPP TSG RAN WG1 Ad Hoc on LTE R1-051062 San Diego, USA, 10 October -14 October, 2005）（以下，「周知例２」という。） には，図面とともに以下の事項が記載されている。
「1. Introduction 
1.1　Problem Formulation 
One of the two possible TTI structures for uplink Single Carrier FDMA (SC-FDMA), as proposed by drafting group 1, is given in Figure 1 below. 
In Figure 1, LB represents a “Long Block,” which can contain only data symbols, and SB represents a “Short Block,” which can contain either pilot or data symbols. Therefore, the uplink pilot is always confined inside the SB field. The time duration of the SB field is half of the time duration of the LB field. The rest of the numerology for the uplink frame structure is given in [1]. 
（中略）
2.4　Number of CAZAC sequences 
As stated earlier in the background section, Zadoff - Chu sequences have low constant magnitude cross - correlation, provided that their length is a prime number. In this section, we present the number of possible sequences, assuming the exact uplink numerology from [1], Option2. 
　　Table 1 is derived as follows. Rows 2 and 4 are from the uplink proposal in [1], Option2. Row 3 hasn’t been agreed upon yet (for the uplink), which is why we assumed the downlink numerology from [1]. Row 5 is proposed to be the prime number which is closest to half of the Row 3. Row 6 is directly from [1]. Row 7 is derived based of properties (see background section) of Zadoff . Chu sequences. Finally, Row 8 is 8 * Row 7, since the SB (Row 4) accepts 8 distinct circular shifts by the cyclic prefix (Row 6). 」
（［当審仮訳］：
１．　はじめに
１．１　問題の定式化
　ドラフティング・グループ１により提案されているように，アップリンクのシングルキャリアＦＤＭＡ（ＳＣ−ＦＤＭＡ）のための２つの可能なＴＴＩ構造の一つは，以下の図１に示される。
（図は省略。）
　図１において，ＬＢは，「ロングブロック」を表し，データシンボルのみを含むことができ，ＳＢは，「ショートブロック」を表し，パイロット又はデータシンボルのいずれかを含むことができる。したがって，アップリンクのパイロットは常にＳＢのフィールド内に閉じ込められ。ＳＢフィールドの持続時間は，ＬＢフィールドの持続時間の半分である。アップリンクのフレーム構造についての，残りの数についての規定は[1] で与えられている。
（中略）
２．４　ＣＡＺＡＣ系列の数
　背景の節で述べたように，Ｚａｄｏｆｆ−Ｃｈｕ系列は，その長さが素数であると，低い一定の大きさの自己相関を持つ。この節では，[1] オプション２のアップリンクについての数を想定した，可能な系列の数を提示する。
（表は中略）
　表１は以下のように導出される。２行目及び４行目は，[1] オプション２におけるアップリンクの提案である。３行目は，[1] のダウンリンクにおける数についての規定から想定したものであるが，（アップリンクのために）まだ合意されていない。５行目は，３行目の半分に最も近い素数であることが提案されている。６行目は[1] から直接来ている。７行目は，Ｚａｄｏｆｆ−Ｃｈｕ系列の特性（背景の節を参照。）に基づいて導出される。最後に，８行目は，ＳＢ（４行目）はサイクリックプレフィックス（６行目）による８つの異なる循環シフトを受け入れることから，７行目の８倍である。　）
３　対比・判断
　本願発明と引用発明とを対比すると，
（１）本願発明の「データ信号と，パイロット信号とを送信する送信回路」と引用発明の「パイロット信号を送信する送信回路」とは，「パイロット信号を送信する送信回路」の点で共通している。
（２）本願発明の「予め定められた系列長よりも小さい素数を系列長とするＺａｄｏｆｆ−Ｃｈｕ系列」と引用発明の「素数を系列長とするＺａｄｏｆｆ−Ｃｈｕ系列」とは，「素数を系列長とするＺａｄｏｆｆ−Ｃｈｕ系列」の点で共通している。
（３）本願発明の「逆離散フーリエ変換」と引用発明の「逆高速フーリエ変換」とは，「逆フーリエ変換」である点で共通している。
　したがって，本願発明と引用発明とを対比すると，両者は，以下の点で一致し，また，相違している。
（一致点）
「パイロット信号を送信する送信回路と，
　前記パイロット信号を，素数を系列長とするＺａｄｏｆｆ−Ｃｈｕ系列を含む信号を逆フーリエ変換することにより算出する処理回路と，
を有する送信機。」
（相違点１）
　一致点の「パイロット信号を送信する送信回路」について，本願発明は「データ信号と，パイロット信号とを送信する送信回路」であるのに対して，引用発明はデータ信号の送信について明らかにしていない点。
（相違点２）
　一致点の「素数」に関して，本願発明は「予め定められた系列長よりも小さい素数」であるのに対し，引用発明は当該構成が明らかでない点。
（相違点３）
　一致点の「逆フーリエ変換」に関して，本願発明は「逆離散フーリエ変換」（ＩＤＦＴ）であるのに対し，引用発明は「逆高速フーリエ変換」（ＩＦＦＴ）である点。
　以下，上記各相違点についての検討する。
（相違点１について）
　引用例はＬＴＥに関する提案であるから，引用発明の送信機の送信回路がパイロット信号のみならずデータも送信することは，当然に予定されていることである。
　また，引用例には，「アップリンクＥＵＴＲＡサブフレームは，アップリンク参照（パイロット）信号を含む２つの短いＤＦＴ拡散ＯＦＤＭシンボル（ＳＢ１とＳＢ２）を含むことが合意されている [1]」（上記２［引用発明］（１）参照。）との記載がある。そして，引用例に記載された提案の前提となっている参考文献「 [1]」の「ＳＢ１」「ＳＢ２」に関する記載である「ショートブロックは，コヒーレント復調のための参照信号及び／又は制御／データ伝送のために使用される。ロングブロックは，制御及び／又はデータ伝送のために使用される。」（上記２［周知事項］（５）の「９．１．１」参照。）との記載を参酌すれば，「コヒーレント復調のための参照信号」は「パイロット信号」に該当することは自明であるから，送信側は，データ信号とパイロット信号とを送信していることは明らかであり，そのための送信回路を備えることは当然に理解されることである。
　したがって，相違点１には実質的な相違はない。
（相違点２について）
　まず，本願発明の「予め定められた系列長」は，何によって定められるいかなる系列長であるのか特段規定されていないから，本願発明の「予め定められた系列長よりも小さい素数を系列長とする」との構成は，予め定められている長さ（値）より小さい素数を系列長とすることを規定しているに過ぎない。また，発明の詳細な説明をみても，「予め定められた系列長」なる記載は存在しない。
　しかしながら，平成２５年１０月２３日付け意見書では「本願発明では，パイロット信号の系列長（＝パイロットブロックサイズ）を，相互相関特性の観点から「素数」に設定しています。」と述べられ，審判請求書では「但し，段落００８２に記載の例では，背景技術とは異なり，パイロットブロックサイズを自身に本来設定される系列長（データブロックサイズの半分）よりも小さい「素数」（段落００８２では２／２５６＝１２８に最も近い１２７）に設定しています。」，「但し，段落００８７に記載の例では，背景技術とは異なり，パイロットブロックサイズを自身に本来設定される系列長（＝データブロックサイズ）よりも小さい「素数」（段落００８７では２５６に最も近い２５１）に設定しています。」と述べられている。
　そして，本願明細書の【００８１】，【００８２】の記載及び図２に照らせば，パイロット系列の長さを素数とすることが記載されていない背景技術である「非特許文献１」においてＤＦＴ処理されることが予定されたパイロット系列のシンボル数（例えば，Ｎｔｘ＿ｐ＝１２８。）に対して，パイロット系列の長さを当該１２８に最も近い素数である１２７としていることが読み取れる。
　そうすると，「予め定められた系列長」とは，パイロット系列の長さを素数とすることが記載されていない背景技術である「非特許文献１」においてＤＦＴ処理されることが予定されたパイロット系列のシンボル数であり，パイロット系列の長さを素数とする制約がない場合のＤＦＴのポイント数を含むものと理解することができる。
　一方，引用例には，「パイロット周波数ブロックは，｛１．１１ＭＨｚ，２．１９ＭＨｚ，４．５３ＭＨｚ，８．７９ＭＨｚ，１８．０３ＭＨｚ｝のパイロット帯域幅に対応した，Ｌ＝｛３７，７３，１５１，２９３，６０１｝の連続したサブキャリアからなることができる。１．２５ＭＨｚのＥＵＴＲＡオプションについて，パイロット周波数ブロックは，（１．１１ＭＨｚにまたがる）３７個の連続したサブキャリアからならなければならないことに留意すべきである。」（上記２（３）参照。），「パイロット周波数ブロックは，Ｌ＝｛３７，７３，１５１，２９３，６０１｝の連続したパイロット（ＳＢ１及びＳＢ２）サブキャリアからなることができる。１．２５ＭＨｚのＥＵＴＲＡオプションについて，パイロット周波数ブロックは３７個の連続したサブキャリアからならなければならない。」（上記２（３）参照。）との記載がある。
　ここで，ＳＣ−ＦＤＭＡではＮＴＸ個のシンボルがＮＴＸのサイズのＤＦＴを介してＮＴＸ個のサブキャリアにマッピングされることは，引用例に記載された提案の前提となっている参考文献「 [1]」にも示されているように（下記「［周知事項］の「（５）」の「Figure 9.1.1.-1 Transmitter structure for SC-FDMA」参照。），当業者における技術常識であるから，上記「３７個の連続したサブキャリア」は，ＤＦＴされるパイロット系列の長さが素数である３７であることを意味していることは明らかである。
　そして，引用例に記載された提案の前提となっていることが明らかである参考文献「 [1]」である周知例１の「Table 9.1.1.-1」（上記２（５）参照。）を参酌すると，１．２５ＭＨｚのＥＵＴＲＡオプションに該当する７行目をみると，３列目の「Long block size (μs/#of ocupied subcarriers/sample)」（［当審仮訳］:ロングブロックサイズ（μＳ／占められたサブキャリアの数／サンプル））の７行目は「６６．６７／７５／１２８」とされており，また，４列目の「Short block size (μs/#of ocupied subcarriers/sample)」（［当審仮訳］:ショートブロックサイズ（μＳ／占められたサブキャリアの数／サンプル））の７行目は「３３．３３／３８／６４」とされている。また，「FFT size = samples」との記載もある。そして，周知例１のFigure 9.1.1.-1の記載や，ローカライズされた送信及び分散型送信の説明図を勘案すれば，上記「μＳ／占められたサブキャリアの数／サンプル」中の「サンプル」はＩＦＦＴのポイント数に相当し，「占められたサブキャリアの数」はＤＦＴからＩＦＦＴにマッピングされるサブキャリアの数に相当すると理解することは自然であり，整合的である。
　また，標準規格の提案は当業者が当然に把握しているものと考えられ，本願明細書において「非特許文献３」として提示されていることから，請求人も当然に認識している周知例２には，「２．４　ＣＡＺＡＣ系列の数」に「背景の節で述べたように，Ｚａｄｏｆｆ−Ｃｈｕ系列は，その長さが素数であると，低い一定の大きさの自己相関を持つ。この節では，[1] オプション２のアップリンクについての数を想定した，可能な系列の数を提示する。」と記載されている。そして，周知例２の「Table 1: Number of CAZAC Sequence」（［当審仮訳］：表１　ＣＡＺＡＣ系列の数）について，「３行目は，[1] のダウンリンクにおける数についての規定から想定したものであるが，（アップリンクのために）まだ合意されていない。５行目は，３行目の半分に最も近い素数であることが提案されている。」との記載があり，表１の２列目（１．２５ＭＨｚ）の２行目〜５行目をみると，ＬＢ（ロングブロック）のサンプル数は１２８，ＬＢで使用されるサブキャリアは７６，ＳＢ（ショートブロック）のサンプル数は６４，ＳＢで使用されるサブキャリアは７６の半分である３８に一番近い素数である３７であることが読み取れる。
　そうすると，引用例の前提となり，当業者が当然に認識しているはずである，周知例１及び周知例２の上記記載事項を前提に引用例に接した当業者であれば，パイロット系列のシンボル数を素数とするとの制約がなければ，１．２５ＭＨｚのオプションについては，パイロット系列のシンボル数を３８とし，ＤＦＴを３８ポイントとすることは普通に考えられることである。そして，Ｚａｄｏｆｆ−Ｃｈｕ系列の低自己相関性の観点から，その長さを素数とする際に，「３８」に一番近い素数である長さ「３７」を採用していると理解することは自然である。
　したがって，引用発明の「素数を系列長とするＺａｄｏｆｆ−Ｃｈｕ系列」は，明記はされていないが「予め定められた系列長よりも小さい素数を系列長とするＺａｄｏｆｆ−Ｃｈｕ系列」であると考えられるし，また，そのようにすることは格別困難なことでなく，当業者が容易になし得ることに過ぎない。
（相違点３について）
　「逆フーリエ変換」として「逆離散フーリエ変換」（ＩＤＦＴ）は周知慣用のものであり，ＩＦＦＴとＩＤＦＴとは数学的に等価な結果が得られるから，引用発明において「逆高速フーリエ変換」（ＩＦＦＴ）に替えて「逆離散フーリエ変換」（ＩＤＦＴ）とすることは，当業者が適宜なし得ることに過ぎない。
４　むすび
　以上のとおり，本願発明は，引用発明及び周知事項に基づいて当業者が容易に発明をすることができたものであるから，特許法第２９条第２項の規定により，特許を受けることができない。
　よって，結論のとおり審決する。